(57)【要約】      （修正有）【課題】ソーラーパネル下の農地へ均等に雨水を供給することのできるソーラーパネルの農地用設置架台を提供する。【解決手段】ソーラーパネル２を傾斜状態で保持するソーラーパネル２の農地用設置架台において、ソーラーパネル２の下方に複数の水抜孔４３を有する雨水受板４をソーラーパネル２と逆勾配となるように傾斜して設けると共に、雨水受板４の上端側の辺縁２ａをソーラーパネル２の下端側の辺縁４ａよりも長さｔ分外方に延出して設ける。【選択図】図２
2016059118.tif 000002
【特許請求の範囲】
【請求項１】
ソーラーパネルを傾斜状態で保持するソーラーパネルの農地用設置架台において、
該ソーラーパネルの下方に複数の水抜孔を有する雨水受板を前記ソーラーパネルと逆勾配となるように傾斜して設けると共に、
該雨水受板の上端側の辺縁を前記ソーラーパネルの下端側の辺縁よりも外方に延出して設けたことを特徴とするソーラーパネルの農地用設置架台。
【請求項２】
前記雨水受板が、傾斜方向に沿った複数の凹凸が形成されたことを特徴とする請求項１に記載のソーラーパネルの農地用設置架台。
【請求項３】
前記凹条に仕切部材が設けられたことを特徴とする請求項２に記載のソーラーパネルの農地用設置架台。
【発明の詳細な説明】
【技術分野】
【０００１】
本発明は、ソーラーパネルの設置架台に関し、とくに農地上に構築され、農作物の栽培に適したソーラーパネルの農地用設置架台に関する。
【背景技術】
【０００２】
近年、農地上にソーラーパネルを設置して野菜や花弁等の農作物を栽培すると共に、ソーラーパネルで発電を行い、１区画の土地を農場及び発電場として活用する、いわゆるソーラーシェアリング式営農が行われている。ソーラーシェアリング式営農では、ソーラーパネルで発電された電力は、農業機械の電力に使用されるほか、売電、又は生活電力に供される。
【０００３】
このようなソーラーシェアリング式営農におけるソーラーパネルの設置架台として、例えばソーラーパネルの裏面に反射板を設け、東西方向、南北方向の２軸に対して回転可能に架台に配設し、太陽の移動に合わせてソーラーパネルの板面を傾斜状態に操作するよう構成されたソーラーパネルの設置架台が先に提案されている（特許文献１参照）。
【０００４】
また、傾斜したソーラーパネルの上方に回転式散水ヘッドを設け、農地上に設けられたソーラーパネルの土埃や農薬等を清掃するよう構成された太陽光発電装置や（特許文献２参照）、ソーラーパネルの裏面に反射板を設けるとともに、ソーラーパネルを傾斜させて複数のソーラーパネル同士を離間して配置することで開口部を設け、この開口部を介してソーラーパネル下の農作物の日照量を確保するよう構成された太陽光発電装置が先に提案されている（特許文献３参照）。
【先行技術文献】
【特許文献】
【０００５】
【特許文献１】実用新案登録第３１８９１６８号公報
【特許文献２】実用新案登録第３１９２０８８号公報
【特許文献３】特開２０１３−１７５５２０号公報
【発明の概要】
【発明が解決しようとする課題】
【０００６】
しかしながら、これらの文献に記載されたソーラーパネルの設置架台は、傾斜したソーラーパネルに降り注いだ雨水がソーラーパネルの最下端から農地へ滴下、又は流下し、水溜が生じて農作物が浸水するため、ソーラーパネルの最下端の下方に栽培された農作物に水分過多に伴う根腐れや軟腐病が発生する、また、水溜内の農作物に水媒伝染性病害が発生しやすいという問題があった。これに対してソーラーパネル下の農作物は、降雨にさらされないため、水分不足による発育不良を引き起こし、農作物の栽培が、上方のソーラーパネルの配置に左右されるという問題があった。
【０００７】
本発明は、上記のような従来技術の課題に鑑みなされたものであり、ソーラーパネル下の農地へ均等に雨水を供給することのできるソーラーパネルの農地用設置架台を提供することを目的とする。
【課題を解決するための手段】
【０００８】
このため、本発明は、農地上にソーラーパネルを傾斜状態で保持するソーラーパネルの設置架台において、前記ソーラーパネルの下方に複数の水抜孔を有する雨水受板を、前記ソーラーパネルと逆勾配となるように傾斜して設けると共に、該雨水受板の上端側の辺縁を前記ソーラーパネルの下端側の辺縁よりも外方に延出して設けたことを第１の特徴とする。
【０００９】
また、前記雨水受板が、傾斜方向に沿って複数の凹条が形成された波板であることを第２の特徴とする。
【００１０】
さらに、前記凹条の途中に堰を設けたことを第３の特徴とする。
【発明の効果】
【００１１】
本発明は、以下の優れた効果を有する。
（１）農地の特定の箇所に水溜が生じることを防止することが可能となり、農作物が浸水することを防止することができる。
（２）ソーラーパネルから滴下、又は流下する雨水を農地へ均等に供給することができる。要するに、架台下の農作物の生育条件を均等化することができる。
【図面の簡単な説明】
【００１２】
【図１】本発明に係るソーラーパネルの農地用設置架台の一実施例を示す斜視図である。
【図２】図１の縦断面図である。
【図３】本発明に係る雨水受板の第一例を示す斜視図である。
【図４】本発明に係る雨水受板の第二例を示す斜視図である。
【図５】本発明に係る雨水受板の第三例を示す斜視図である。
【発明を実施するための形態】
【実施例】
【００１３】
以下、本発明の実施の形態を図面に示す実施例に基づいて説明する。図１は、本発明に係るソーラーパネルの農地用設置架台の一実施例を示す斜視図であり、図２は、図１の縦断面図である。図３は、本発明に係る雨水受板の第一例を示す斜視図であり、図４は、本発明に係る雨水受板の第二例を示す斜視図であり、図５は、本発明に係る雨水受板の第三例を示す斜視図である。
【００１４】
本発明に係るソーラーパネルの農地用設置架台の一実施例は、図１に示すように、複数のソーラーパネル２の下方で農作物１を栽培する架台であり、農作物１が栽培可能となる高さに複数のソーラーパネル２を傾斜状態で保持する架台３を設けてその上部にソーラーパネル２が設置され、ソーラーパネル２の下方には、雨水受板４がソーラーパネル２と逆勾配となるよう傾斜状態に設けられている。
【００１５】
まずは、本発明に係る架台３について説明する。架台３は、図１、図２に示すように、農地に短支柱３１、及び長支柱３２で一対となる支柱を、短支柱３１ａ、３１ｂ同士、長支柱３２ａ、３２ｂ同士を直線状に配置して１組立設し、短支柱３１ａ、３１ｂ同士の上端を梁部材３３で連結し、長支柱３２ａ，３２ｂ同士の上端を梁部材３４で連結して構成されている。梁部材３３、３４間には架設部材３５ａ、３５ｂが傾斜状態に架け渡されて架設部材３５ａ、３５ｂには複数のソーラーパネル２が載置されて固定される。
【００１６】
短支柱３１ａ、３１ｂ、及び長支柱３２は、複数のソーラーパネル２を保持可能な強度を有するよう、例えばコンクート製又は金属製の棒状体が用いられる。本実施例において短支柱３１の長さは４００ｃｍ、長支柱３２ａ，３２ｂの長さは４５０ｃｍとされている。図１に破線で示すように、各支柱は１００ｃｍ程、土中に埋設されており、短支柱３１の地表からの高さは３５０ｃｍ、長支柱３２の地表からの高さは４００ｃｍとなり、農地を作業者、若しくは耕作機などの農作業機械が通過できるよう確保されている。ソーラーパネル２の傾斜角度は、太陽光に対して直角となるように傾斜することが発電効率の観点から最適とされるため、短支柱３１と長支柱３２の長さの差は、架台３の設置場所に応じてで調整されることが好ましい。短支柱３１と長支柱３２は、２５０ｃｍ程のスパンで配置され、短支柱３１ａ、３１ｂ同士は２００ｃｍ程のスパンで配置されて農地に立設されている。短支柱３１ａ、３１ｂの上端と梁部材３３、及び長支柱３２ａ、３２ｂの上端と梁部材３４は、互いに着脱可能な固定部材（図示せず）により固着されている。
【００１７】
梁部材３３、３４、及び架設部材３５ａ、３５ｂは、金属製で、例えばアルミニウムや鉄、アルミニウム、亜鉛を用いた合金など、一定の強度を持つ部材であれば何れでも使用できる。本実施例において梁部材３３、３４の長さは３００ｃｍとされ、架設部材３５ａ、３５ｂは載置されたソーラーパネル２に応じた長さとされている。梁部材３３、３４の上部には、架設部材３５ａ、３５ｂが着脱可能な固定部材（図示せず）により傾斜状態に架け渡され、架設部材３５ａ、３５ｂ上には複数のソーラーパネル２が固定金具（図示せず）により固着されている。
【００１８】
図１、図２に示すように、短支柱３１ａ、３１ｂの上部には、受板支持材３６がボルト等により固着され、また長支柱３２ａ、３２ｂの上部には、受板支持材３６よりも低い位置に受板支持材３７がボルト等により固着されている。このように各支柱間に横架した受板支持材３６、３７に雨水受板４を載置して固定し、雨水受板４がソーラーパネル２とは逆勾配の傾斜状態に保持される。受板支持材３６、３７は、例えばアルミ筒などの金属製の筒状体で、雨水受板４を支持可能な強度を備えたものであれば例えば丸太などの木材でも良く、何れでも使用することができる。受板支持材３７は、その下を作業者、若しくは耕作機などの農作業機械が通過できるよう、地表から少なくとも２００ｃｍ確保できる位置に横架されることが好ましい。加えて雨水受板４の傾斜角度が１０°以上〜１５°以下となる位置に受板支持材３６、３７が横架されることが好ましい。傾斜角度が１０°未満の場合には、雨水が流れる勢いが弱く、図２に示す複数の水抜孔４３の内、高位置の水抜孔４３から雨水が全て排水されることになり、傾斜角度が１５°より大きい場合には、雨水が流れる勢いが強く、低位置の水抜孔４３から雨水が全て排水されることになり、結局は農地へ均等に雨水を供給することが困難となる。
【００１９】
さらに、雨水受板４は、図２に示すように、高さを違えて配設された受板支持材３６，３７に、ボルトやリベット等の一般的な締結具（図示せず）を用いて固着されて傾斜状態に保持される。雨水受板４は、ソーラーパネル２に降り注ぎ流下する雨水を受けることができるよう、雨水受板４の上端側の辺縁４ａがソーラーパネル２の下端側の辺縁２ａよりも長さｔ（本実施例においては１０ｃｍとした）分、外方に延出して設けられる。
【００２０】
このように構成された架台３の頂部に複数のソーラーパネル２が傾斜状態で保持されるとともに、ソーラーパネル２と逆勾配となるように傾斜して雨水受板４が配設され、ソーラーパネル２の下端側の辺縁２ａより流下する雨水を雨水受板４の上端部で受けることができる。また、各支柱３１、３２、梁部材３３、３４、架設部材３５、及び受板支持材３６、３７は、それぞれが適した強度を有する材質であれば良く、上述した材質に限定されるものではない。さらに、架台３は、短支柱３１、及び長支柱３２で一対となる支柱を、図示したように１組だけ設けるほか、例えば複数組を直線状、または曲線状に配置して各支柱を梁部材で連結した構成としても良い。
【００２１】
次に本発明に係る雨水受板４の第一例について、図３を参照して説明する。雨水受板４は、アルミニウム、鉄、ガルバニウム鋼板等の金属製、又は合成樹脂製（ポリ塩化ビニル樹脂やポリカーボネート樹脂）で、図３に示すように、一定の間隔で千鳥状に複数の水抜孔４３が形成されている。このように形成された雨水受板４は、上述したように架台３に配設され、ソーラーパネル２から滴下、または流下した雨水をソーラーパネル２の下端側の辺縁２ａよりも外方に延出した部分で受ける。第一例の雨水受板４は、とくに雨量の少ない際に適している。少量の雨水は、雨水受板４の表面を濡らす程度に傾斜方向に向かって伝い、複数の水抜孔４３を介して農地へ滴下される。雨量が少ない場合には、ソーラーパネル２から滴下、または流下した位置から直近の水抜孔４３から全てが排出されず、雨水が雨水受板４の表面を伝い続けるため、水抜孔４３を千鳥状に設けることで、雨水を農地へ均等に供給することが可能となる。
【００２２】
次に本発明に係る雨水受板４の第二例について、図４を参照して説明する。尚、第一例と同一の構成要素には同一の参照符号を付し、以下、第一例との相違点を主に説明する。第二例の雨水受板４は、図４に示すように、複数の凹条４１と凸条４２が交互に、且つ一定の間隔に形成された波板構造体である。凹条４１の最底部には複数の水抜孔４３が一定の間隔を設けて形成されており、凹条４１を流れる雨水が農地へ排出される。第二例の雨水受板４は、とくに雨量の多い場合に適しており、傾斜方向に沿った複数の凹凸を設けることで、雨水受板４の表面を流れる雨水が、確実に水抜孔４３から排出される構成されている。
【００２３】
さらに雨水受板４は、図４に示すように、凹条４１に仕切部材４４を有することが好ましい。豪雨時など雨量が多い際には、ソーラーパネル２や架台３のわずかな傾きなどによりソーラーパネル２からの落水が偏ることがある。その際に凹条４１が複数に区画されることで、偏って雨水受板４に流下し凹条４１を流れる雨水が、仕切部材４４で堰止されて隣り合う凹条４１へ越流させることで農地に対して均等に雨水を排水することが可能となる。尚、図１、図２に示された雨水受板４は、図４に示す第二例の雨水受板４である。
【００２４】
次に本発明に係る雨水受板４の第三例について、図５を参照して説明する。尚、第二例と同一の構成要素には同一の参照符号を付し、以下、第二例との相違点を主に説明する。第三例の雨水受板４は、図５に示すように、板状体を連続的に直角に折曲させ、複数の凹条４１と凸条４２が交互に、且つ一定の間隔に形成された角波板である。このように複数の凹条４１と凸条４２が交互に、且つ一定の間隔に形成された板体であれば凹条４１と凸条４２の断面形状は何れの形状でも使用することができる。
【００２５】
以上のように構成された農地上に構築された架台３に、ソーラーパネル２、及び雨水受板４を設けることで、ソーラーパネル２に降り注ぐ雨水を農地へ均等に供給することが可能となる。尚、ソーラーパネルの下が日陰となるため、栽培される農作物１は、半陰性或いは陰性栽培植物が適する。因みに、半陰性栽培植物としては、苺、ほうれん草、小松菜、蕪、山葵、レタス、春菊、パセリ、馬鈴薯、里芋、生姜、アスパラガスなどが挙げられ、陰性植物としては三つ葉、セリ、クレソン、紫蘇、茗荷、ラッキョウ、蕗、韮などが挙げられる。
【００２６】
尚、本発明の要旨は、農作物１を栽培し、その上方でソーラーパネル２を設置する架台３において、ソーラーパネル２の下方に雨水受板４をソーラーパネル２と逆勾配となるように設けた点である。よって本実施例における、各支柱の長さ、埋設深さ、及びスパンは記載された数値に限定されるものではなく、各数値を、適宜変更することは勿論可能である。
【符号の説明】
【００２７】
１      農作物
２      ソーラーパネル
３      架台
３１    短支柱
３２    長支柱
３３    梁部材
３４    梁部材
３５    架設部材
３６    受板支持材
３７    受板支持材
４      雨水受板
４１    凹条
４２    凸条
４３    水抜孔
４４    仕切部材（堰）
ｔ      長さ
【図１】
2016059118.tif 000003
【図２】
2016059118.tif 000004
【図３】
2016059118.tif 000005
【図４】
2016059118.tif 000006
【図５】
2016059118.tif 000007